(57)【要約】【課題】金属、非金属の２種の壁面パネルの連結を強化するコーナ連結用補強具を提供する。【解決手段】コーナ連結用部材１０で裏面から連結された、基材に中空バックフレーム１ｂを組み付けた構造体とされた第１の壁面パネルＷ１と、端部に連結用リブ２ｂを形成した構造体とされた第２の壁面パネルＷ２とを、それらの上方から固定する補強具２０であって、水平連結片部２１に第１、第２の脚片２２、２３を形成し、第１の脚片２２を、第１の壁面パネルＷ１の中空バックフレーム１ｂの中空部の上端に、かつ第２の脚片２３をコーナ連結用部材１０の連結用囲壁１２の内部の上端に、それぞれ圧挿することで、第１、第２の壁面パネルの上端を固定連結する。【選択図】図１
2006009377.tif 000002
【特許請求の範囲】
【請求項１】
中空バックフレームを組み付けた構造体とされた第１の壁面パネルと、端部に連結用リブを形成した構造体とされた第２の壁面パネルとを、上記第１の壁面パネルの上記中空バックフレームの側端に沿わせて固着される連結片と、この連結片に略直角に折曲して延設され、上記第２の壁面パネルの上記連結用リブに固着される連結用囲壁とを、長手方向に形成した構造のコーナ連結用部材で、第１、第２壁面パネルの裏面から連結し、さらに、それらの上方から固定する補強具であって、
水平連結片部に第１、第２の脚片を形成し、上記第１の脚片を、上記第１の壁面パネルの中空バックフレームの中空部の上端に、かつ上記第２の脚片を上記コーナ連結用部材の上記連結用囲壁の内部の上端に、それぞれ圧挿することで、上記第１、第２の壁面パネルの上端を固定連結するようにした壁面パネルのコーナ連結用補強具。
【請求項２】
請求項１において、
上記補強具は、上記第１の脚片の一方端に位置決め用折片を形成している、壁面パネルのコーナ連結用補強具。
【請求項３】
請求項１、２のいずれかにおいて、
上記補強具は、上記第１の脚片の下部に先細の誘い部を形成し、かつ上記第２の脚片の下部に先細の誘い部を形成している、壁面パネルのコーナ連結用補強具。
【請求項４】
請求項１〜３のいずれかにおいて、
上記補強具は、上記第１の脚片が、上記第２の脚片よりも下方に長くなっている、壁面パネルのコーナ連結用補強具。
【発明の詳細な説明】
【技術分野】
【０００１】
本発明は、浴室ユニット等のコーナでの壁面パネルどうしの連結を強化するための連結用補強具に関するものである。
【背景技術】
【０００２】
従来の浴室ユニットでは、１種類の壁面パネルを各壁に配置した構成となっており、コーナで隣り合う面の壁面パネル間はコーナ用の連結用部材で固定される。
【０００３】
図７（ａ）、（ｂ）には、従来の壁面パネルの連結構造の説明図を示している。（ａ）は、基材をセメント板とした壁面パネル（以下、第１壁面パネルという）どうしの結合状態を示す図である。各々の第１壁面パネル本体裏面に接着したバックフレームどうしを、１つの連結用部材でねじ着することにより、両壁面パネルを連結させるようにしたものである。
また、図７（ｂ）は、金属基材の表面を樹脂シートで覆った壁面パネル（以下、第２壁面パネル）どうしの結合状態を示す図である。各壁面パネルの端部を折曲形成した鉤型のコーナ連結部に対して、１つの連結用部材を上方から装着することにより、両壁面パネルを連結させるようにしたものである。
これらの連結構造は、連結用部材の形状が異なるものであるが、両者ともに、簡易な構造の１つの連結用部材で壁面パネルの上端から下端までにわたって連結させることを可能としている。
【０００４】
次に示す特許文献には、同種の壁面パネルどうしの連結構造と連結に使用される連結部材が開示されている。
【特許文献１】特開２００１−６５０８４号公報
【発明の開示】
【発明が解決しようとする課題】
【０００５】
浴室ユニットでは、上記のように同種の壁面パネルを全壁面に配置することが一般的であるが、近年、ユニット内の壁面を異なる種類のものにしたいとの要望がある。この要望に応えるためには、直交して隣り合う２種の壁面パネルをコーナで連結させるための、それぞれの連結端部に合った形状のコーナ連結用部材を準備する必要がある。
しかし、その新規な形状のコーナ連結用部材で連結したとしても、２種の壁面パネルは強度や重量が異なるため連結部分に大きな負荷がかかりやすくなり、そのため、さらに強固な連結手段を準備する必要がある。
【０００６】
本発明は、このような事情を考慮して提案されたもので、その目的は、金属、非金属の２種の壁面パネルの連結を強化するコーナ連結用補強具を提供することにある。
【課題を解決するための手段】
【０００７】
上記目的を達成するために、請求項１に記載の壁面パネルのコーナ連結用補強具は、基材に中空バックフレームを組み付けた構造体とされた第１の壁面パネルと、端部に連結用リブを形成した構造体とされた第２の壁面パネルとを、第１の壁面パネルの中空バックフレームの側端に沿わせて固着される連結片と、この連結片に略直角に折曲して延設され、第２の壁面パネルの連結用リブに固着される連結用囲壁とを、長手方向に形成した構造のコーナ連結用部材で、第１、第２壁面パネルの裏面から連結し、さらに、その上方から固定するコーナ連結用補強具であって、次のような構造となっている。
すなわち、コーナ連結用補強具は、その水平連結片部に第１、第２の脚片を形成し、第１の脚片を第１の壁面パネルの中空バックフレームの中空部の上端に、かつ第２の脚片をコーナ連結用部材の連結用囲壁の内部の上端に、それぞれ圧挿することで、第１、第２の壁面パネルの上端を固定連結するようにしたものである。
【０００８】
請求項２に記載の連結用補強具は、請求項１において、第１の脚片の一方端に位置決め用折片を形成している。
請求項３に記載の連結用補強具は、請求項１、２のいずれかにおいて、第１の脚片の下部に先細の誘い部を形成し、かつ第２の脚片の下部に先細の誘い部を形成している。
請求項４に記載の連結用補強具は、請求項１〜３のいずれかにおいて、第１の脚片が第２の脚片よりも下方に長くなっている。
【発明の効果】
【０００９】
請求項１〜４に記載の壁面パネルのコーナ連結用補強具によれば、コーナ連結用部材で連結させた両パネルの上方から固定できるようになっているため、コーナでの連結を高い連結強度で保持することができる。
より具体的には、コーナ連結用補強具は、第１壁面パネル側のバックフレームの中空部の上端に圧挿する第１の脚片と、第２壁面パネル側のコーナ連結用部材の連結用囲壁の内部上端に圧挿する第２の脚片とを有した構造であるため、連結が弱くなりがちな上端部を連結補強でき、上端が開いてしまうのを防止することができる。
【００１０】
請求項２に記載のコーナ連結用補強具は、第１の脚片の一方端に位置決め用折片を形成しているため、第１の脚片を第１壁面パネルの所定位置に差し込むことにより、第１壁面パネルに対するコーナ連結用補強具の取り付け角度を決めることができ、第２の脚片を第２壁面パネルの所定位置に差し込むことにより、第１壁面パネルに対する第２壁面パネルの角度を所定角度に位置決めすることができる。
請求項３では、第１、第２のそれぞれの脚片の下部が先細に形成されているため、所定位置への挿入が楽に行える。
請求項４では、第１の脚片が第２の脚片よりも下方に長くなっているので、第１の脚片を第１壁面パネルの所定位置に差し込んだのち、第２の脚片を第２壁面パネルの所定位置に差し込むことができる。つまり、１つずつ順に挿入することができ、施工がしやすい。
【発明を実施するための最良の形態】
【００１１】
以下に、本発明の実施形態について、添付図面とともに説明する。なお、以下に説明する第１の壁面パネルは、基材がセメント板などの非金属材料で形成されたものであり、第２の壁面パネルは、基材が金属板で形成されたものである。
【実施例１】
【００１２】
図２は、ユニットバスルームの一例の平面図を示したものである。この例は、４面の壁面のうち１面を第１の壁面パネルＷ１で、他の３面を第２の壁面パネルＷ２で形成するようにしたものを示している。すなわち、図中、コーナＡ、Ｂでは、第１、第２の壁面パネルＷ１、Ｗ２を相互連結させる必要がある。
ここに、第１の壁面パネルＷ１の代表的なものは、特殊なセメント板などを基材として、その表面にベースコート層、トップコート層を形成し、裏面にバックコート層を形成し、バックコート層の裏から、補強、連結のために、アルミなどで構成された中空のバックフレームを溶接や接着で取り付けた構造体をなしているものが採用されるが、それには限定されない。
また、第２の壁面パネルＷ２は、アルミ亜鉛鋼板などの金属板を基材として、その表面にベース層、ＰＥＴ樹脂などの表面層を形成し、裏面にバック層を形成し、それらの両側端を折曲して、連結リブを形成した構造体をなしているものが採用されるが、それには限定されない。
【００１３】
第１の壁面パネルＷ１と第２の壁面パネルＷ２とは、以上のような構造的差異があるが、その構造上の特徴から、第２の壁面パネルＷ２は、第１の壁面パネルＷ１よりも薄厚に形成されているのが一般的である。
すなわち、両パネルＷ１、Ｗ２は、連結すべきパネル側端部に大きな差異があり、それぞれの側端部に合った形状の連結用部材を必要とするものである。また、さらには重量、強度にも差異があり、その点も考慮したうえで連結する必要がある。
以下には、このコーナ部分の連結構造、壁面パネルのコーナ連結用部材および本発明のコーナ連結用補強具について説明する。なお、コーナＣ、Ｄは従来の同種の連結方法によって連結されるため、説明は省略する。
【００１４】
図３は、コーナ連結用部材の固着手順を示した図で、（ａ）は連結前、（ｂ）は連結後の状態をパネル裏面側から見た図である。また図４には、コーナ連結用部材１０の部分斜視図を示している。
第１壁面パネルＷ１は、基材をセメント板としたパネル本体１ａと、パネル本体１ａの裏面に組み付けた上下、左右（図には上下のみ記載）に走る中空のバックフレーム１ｂとを含んで構成される。バックフレーム１ｂのパネル側端面側には、孔径の異なる大小孔を上下に連通させただるま孔１ｃが形成されている。なお、符号１ｄは切込段部である。
他方、第２の壁面パネルＷ２は、基材を金属で構成したパネル本体２ａと一体的に、端部に鉤型の連結用リブ２ｂが形成されている。この連結用リブ２ｂは、パネル本体２ａの端部を折り曲げて形成されたものである。
【００１５】
コーナ連結用部材１０は、バックフレーム１ｂの側端に沿わせて固着される連結片１１と、連結用リブ２ｂに固着される、連結片１１から略直角に折曲して延設された連結用囲壁１２とを、長手方向に形成した構造となっており、図に示すように上部から見た場合、ひしゃく状の断面形状をしている。なお、コーナ連結用部材１０は、金属板を加工して製することが望ましいが、金属と同等の強度がある他の素材を用いてもよい。
このような連結用部材１０は、第１の壁面パネルＷ１の側端に取り付けた中空バックフレーム１ｂ内に、複数の長孔（不図示）を所定間隔で上下方向に設けた内組金具３０を挿入し、長孔に対応しただるま孔１３を形成したバックフレーム取付片１１を、中空バックフレーム１ｂの側面にあてがい、だるま孔１３より内組金具３０の長孔に向けて固定ねじＳ１を螺入させ、内組金具３０をバックフレーム１ｂに打ち込み埋没させる。
このようにして、連結片１１を第１の壁面パネルＷ１のバックフレーム１ｂに取り付けた後は、連結用囲壁１２で第２の壁面パネルＷ２の側端に形成した連結用リブ２ｂを囲い込み、その状態で囲壁側のねじ孔１４から連結用リブ２ｂにねじＳ２を螺入させて第２の壁面パネルを固定する（図３（ａ）、（ｂ）参照）。
【００１６】
このように、第１壁面パネルＷ１に対する連結片１１と、第２壁面パネルに対する連結用囲壁１２とを一体として有したコーナ連結用部材１０を連結部材として利用することによって、異なる形状、異なる基材の第１、第２の壁面パネルＷ１、Ｗ２の側端を相互に連結することができる。
【００１７】
なお、コーナ連結用部材１０は、内組金具３０とともに、高さを壁面パネルＷ１、Ｗ２より少し低くし、バックフレーム１ｂ側端上部に設けた切込段部１ｄの高さに合わせている。これは、後述するコーナ連結用補強具２０（図１参照）を挿入したときに、壁面パネルＷ１、Ｗ２の上面と、コーナ連結用補強具２０の水平連結片部２１の上面の高さ位置を一定にするためである。
【００１８】
次に、図１、図５を参照して、コーナ連結を補強するためのコーナ連結用補強具２０について説明する。図１は、コーナ連結用部材１０で連結した後の壁面パネルＷ１、Ｗ２に対して、本発明のコーナ連結用補強具２０を挿入する手順を説明するための斜視図であり、図５（ａ）、（ｂ）はコーナ連結用補強具２０の挿入手順を示した平面図である。このコーナ連結用補強具２０は、金属板を打ち抜き、折り曲げて一体成形されたものである。なお、コーナ連結用補強具２０は金属以外の素材で製されてもよい。
【００１９】
第１、第２壁面パネルＷ１、Ｗ２は、コーナ連結用部材１０で連結されたうえ、上方からコーナ連結用補強具２０を挿入して連結補強できるようになっている。コーナ連結用補強具２０は、水平連結片部２１に第１、第２の脚片２２、２３を形成し、第１の脚片２２を第１の壁面パネルＷ１の中空バックフレーム１ｂの中空部に、かつ第２の脚片２３をコーナ連結用部材１０の連結用囲壁１２の内部に、それぞれ上方から圧挿することで、第１、第２の壁面パネルＷ１、Ｗ２の上端を固定連結する。また、第１の脚片２２の一方端には略直角に、バックフレーム１ｂの内部面に面接触するように位置決め用折片２４が形成されている。なお、位置決め用折片２４が形成されていないものであってもよい。
【００２０】
より具体的には、図５（ａ）、（ｂ）に示すように、第１の脚片２２を内組金具３０とバックフレーム１ｂとの間に圧挿し、それにともない位置決め用折片２４はバックフレーム１ｂ内の側端面と直交する面に面接触させるように挿入する一方、第２の脚片２３はコーナ連結用部材１０の連結用囲壁１２の内部のパネル本体２ａの裏面に接するように圧挿する。図５（ｂ）の太線で示した部分は、圧挿された脚片２２、２３および位置決め用折片２４を示している。
【００２１】
図５に示すように、第１、第２の脚片２２、２３の幅は、バックフレーム１ｂ、連結用囲壁１２の大きさに合うように成形されたものである。また、水平連結片部２１の、それぞれの脚片の折曲位置までの長さ（幅）（図中のＬ１、Ｌ２）は、バックフレーム１ｂの側端位置、第２の壁面パネル本体２ａの裏面位置により定まり、本実施例の場合、第１の脚片２２までの長さ（Ｌ１）の方が少し長くなっている。また、水平連結片部２１の、脚片を折曲形成していない中央部の幅はＬ２よりも短くなっているが、これに限定されず、補強力を高めるためにさらに幅広にしてもよい。なお、第１、第２の脚片２２、２３の長さ、形状については後述する。
【００２２】
このように、コーナ連結用部材１０で連結させた両パネルの上方から２つの脚片２２、２３で固定できるようになっているため、コーナ部での連結を高い連結強度で保持することができる。さらに、連結が弱くなりがちなコーナ連結上端部を連結補強でき、上端が開いてしまうのを防止することができる。
【００２３】
また、コーナ連結用補強具２０は、第１、第２の脚片２２、２３を各壁面パネルＷ１、Ｗ２に圧挿しやすくするため、次のような各種の工夫が施されている。
図６は、コーナ連結用補強具２０の各部の特徴を示した正面図である。
まず、第１の脚片２２が第２の脚片２３よりも下方に長くなっている。これにより、第１の脚片２２を第１壁面パネル側の所定位置に差し込んでから、第２の脚片２３を第２壁面パネル側の所定位置に差し込むことができる。すなわち、脚片に段差を設けることによって、両壁面パネルＷ１、Ｗ２に対して、同時に２つの脚片を挿入する必要がなく、１つずつ挿入することができ、施工がしやすくなる。
また、第１の脚片２２の一方端に位置決め用折片２４を形成している（図４参照）。これによれば、第１の脚片２２を第１壁面パネル側の所定位置に差し込むことにより、第１壁面パネルＷ１に対するコーナ連結用補強具２０の取り付け角度を決めることができ、第２の脚片２３を第２壁面パネル側の所定位置に差し込むことにより、第１壁面パネルＷ１に対する第２壁面パネルＷ２の角度を所定角度に位置決めすることができる。
さらに、第１の脚片２２の下部に先細の誘い部２２ａを形成しているため、バックフレーム１ｂの中空部に対する挿入が容易になる。同様に、第２の脚片２３の下部にも先細の誘い部２３ａを形成しているので、連結用囲壁１２の内部への挿入がしやすくなる。
【図面の簡単な説明】
【００２４】
【図１】本発明の壁面パネルのコーナ連結用補強具の挿入手順を示した斜視図である。
【図２】ユニットバスルームの一例を示した平面図である。
【図３】コーナ連結用部材の固着手順を示した図で、（ａ）は連結前、（ｂ）は連結後の状態をパネル裏面側から見た図である。
【図４】コーナ連結用部材の部分斜視図である。
【図５】（ａ）、（ｂ）はコーナ連結用補強具の挿入手順を示した平面図である。
【図６】本発明のコーナ連結用補強具の各部の特徴を示した正面図である。
【図７】従来の壁面パネルの連結構造の説明図であり、（ａ）は、第１壁面パネルどうしの結合状態を示す図、（ｂ）は第２壁面パネルどうしの結合状態を示す図である。
【符号の説明】
【００２５】
Ｗ１      第１壁面パネル
１ａ      第１壁面パネル本体
１ｂ      中空バックフレーム
１ｃ      だるま孔
１ｄ      切込段部
Ｗ２      第２壁面パネル
２ａ      第２壁面パネル本体
２ｂ      連結用リブ
１０      コーナ連結用部材
１１      連結片
１２      連結用囲壁
１３      だるま孔
１４      ねじ孔
２０      コーナ連結用補強具
２１      水平連結片部
２２      第１の脚片
２２ａ      第１の脚片の誘い部
２３      第２の脚片
２３ａ      第２の脚片の誘い部
２４      位置決め用折片
【図１】
2006009377.tif 000003
【図２】
2006009377.tif 000004
【図３】
2006009377.tif 000005
【図４】
2006009377.tif 000006
【図５】
2006009377.tif 000007
【図６】
2006009377.tif 000008
【図７】
2006009377.tif 000009